(57)【要約】【課題】データ処理を行う相互間で情報データを伝送するに当たり、大容量の情報を処理する一方の装置と大容量の受信を要しない他方の装置との間で無線による情報データを伝送するには、高速性だけでなくコスト的にも有利なものが得られないという問題点があるのでこれを解決する。【解決手段】大容量の情報を処理する一方の装置への上流に向かったデータ伝送路には、大容量で高速な第１の送受信手段を設け、大容量の情報の受信を要しない他方の装置への下流に向かったデータ伝送路には、小容量で中低速の第２の送受信手段を設けて、情報データの高速な伝送を維持した状態で低コストでデータ伝送システムを構成して問題点を解決する。【選択図】      図１
2004274601.tif 000002
【特許請求の範囲】
【請求項１】
大容量の情報を受信して処理する一方の装置と大容量の情報の受信を要しない他方の装置との間を無線で相互に情報データの伝送を行うデータ伝送システムにおいて、前記他方の装置から前記一方の装置へのデータ伝送経路に大容量で高速な超広帯域デジタル信号の送受信装置を設け、前記一方の装置から前記他方の装置へのデータ伝送経路に小容量で中低速な中帯域デジタル信号の送受信装置を設けてなることを特徴とするデータ伝送システム。
【請求項２】
大容量の情報を受信して処理する一方の装置と大容量の情報の受信を要しない他方の装置との間を無線で相互に情報データの伝送を行うデータ伝送システムにおいて、前記他方の装置から前記一方の装置へのデータ伝送経路に大容量で高速な第１の送受信手段を設け、前記一方の装置から前記他方の装置へのデータ伝送経路に小容量で中低速の第２の送受信手段を設けてなることを特徴とするデータ伝送システム。
【発明の詳細な説明】
【０００１】
【発明の属する技術分野】
本発明は、データ処理を行う相互間で情報データを伝送するためのデータ伝送システムに関する。
【０００２】
【従来の技術】
従来、相互間で通信を行う際に、互いに異なる伝送方式で通信する複数の送信部と受信部を備え、一方が他方の通信方式より高速であって、障害発生に応じて低速の方に切換えて使用する技術が開示されている（例えば、特許文献１参照）。
【０００３】
また、マルチメディア通信のように画像データと音声データのように伝送容量、伝送品質が異なる場合は、同一伝送路上で異なる容量の伝送特性に切換える構成とし、画像データの伝送と音声データの伝送とで容量切換え動作を伴うものが考えられている（例えば、特許文献２参照）。
【０００４】
更に、無線ＬＡＮネットワークを用いて単一のワークステーションと複数のパソコン（又は複数のワークステーション）との間でデータの送受信を行い、多くのユーザによる単一ワークステーションの利用を図る技術が開示されている（例えば、特許文献３参照）。
【０００５】
【特許文献１】
特開２００１−１５６８２６号公報
【特許文献２】
特開平７−２５０１１７号公報
【特許文献３】
特開平８−２７４８０４号公報
【０００６】
【発明が解決しようとする課題】
このような従来技術は、装置間での無線伝送において異なる伝送方式をとり得る送受信伝送路を設け、必要に応じて切換えて使用している。また、ＬＡＮにおいて短距離での複数の装置間で無線によるデータ伝送を行うようにしたものもある。これらは、有線を用いない無線の利点をもって各種のデータを相互間で伝送するようにしている。このような無線によるデータ伝送は、技術の進歩に伴って用途がますます拡大し、例えば画像データのように情報量の多いものも一般的にも使用されるようになってきた。
【０００７】
しかしがら、上述した従来技術を単に用いただけでは、伝送するデータの品質によって同一伝送路上で切換える機能を設ける等という複雑な構成を必要とし、高速な伝送を低コストで実施できなかった。そのため、多量の音声データや高画質の映像を動画で伝送することは、実用化に困難が伴うという問題点があった。
【０００８】
そこで、本発明は、上記の問題点に鑑みなされたものであり、例えば、画像データのように大容量の情報をリアルタイムに伝送し、ユーザがそのデータ内容を遠隔的に操作選択できるようにして使用の便の向上を図ると共に、低コストでこれを達成できるデータ伝送システムを提供することを目的とする。
【０００９】
【課題を解決するための手段】
上記目的を達成するため、本発明の請求項１による装置は、大容量の情報を受信して処理する一方の装置と大容量の情報の受信を要しない他方の装置との間を無線で相互に情報データの伝送を行うデータ伝送システムにおいて、前記他方の装置から前記一方の装置へのデータ伝送経路に大容量で高速な超広帯域デジタル信号の送受信装置を設け、前記一方の装置から前記他方の装置へのデータ伝送経路に小容量で中低速な中帯域デジタル信号の送受信装置を設けている。そして、大容量の情報を受信する上流に向けては超広帯域デジタル信号の前記送受信装置で伝送し、小容量の中低速度で情報の処理を行う下流側に向けては中帯域デシタル信号の前記送受信装置で伝送するので、前記情報データを目的通りに低コストで伝送できるデータ伝送システムを提供できる。
【００１０】
また、本発明の請求項２による装置は、大容量の情報を受信して処理する一方の装置と大容量の情報の受信を要しない他方の装置との間を無線で相互に情報データの伝送を行うデータ伝送システムにおいて、前記他方の装置から前記一方の装置へのデータ伝送経路に大容量で高速な第１の送受信手段を設け、前記一方の装置から前記他方の装置へのデータ伝送経路に小容量で中低速の第２の送受信手段を設けている。そして、大容量の情報を受信する上流に向けては大容量で高速な前記第１の送受信手段で伝送し、小容量の中低速度で情報の処理を行う下流側に向けては小容量で中低速の前記第２の送受信手段で伝送するので、情報データを目的通りに低コストで伝送できるデータ伝送システムを提供できる。
【００１１】
【発明の実施の形態】
以下、本発明の実施の形態の一例を図１に基づいて説明する。１はビデオカメラにより動く被写体の画像データ、音声データ等の情報データを作成して送出するワークステーションである。２ａ、２ｂ……２ｎは夫々画像データ、音声データを受信して再生するパーソナルコンピュータからなる端末装置である。ワークステーション１はＬＡＮ３に接続されている。ＬＡＮ３にはアクセスポイント４が設けられ、端末装置２ａ、２ｂ……２ｎとの間で無線によるデータ伝送がなされるようになっている。ここで、端末装置２ａ、２ｂ……２ｎは動画の画像データのように大容量の情報を高速で受信して処理する一方の装置である。そして、ワークステーション１は画像データのアクセス、ビデオカメラ遠隔操作用としての情報データを受信する他方の装置であって、大容量の情報を受信する必要のない他方の装置である。
【００１２】
次に、送受信部分の詳細について説明するが、アクセスポイント４はＬＡＮ３との接続のためのインターフエース５を有する。このインターフエース５には無搬送波でもって超広帯域でデジタル信号を伝送する、所謂ＵＷＢ（Ｕｌｔｒａ  Ｗｉｄｅｂａｎｄ）の通信技術を適用した第１の送信部６が接続され、そのアンテナ７から画像データ等が送信されるようになっている。一方の端末装置２ａ、２ｂ……２ｎには、第１の送信部６で送信されたＵＷＢの信号をアンテナ８を介して受信する第１の受信部９が設けられている。そして、これら第１の送信部６、アンテナ７、アンテナ８、第１の受信部９はデータ伝送路の第１の送受信手段を形成し、動画の画像データのように大容量であるデータをワークステーション１側から端末装置２ａ、２ｂ……２ｎ方向の下流に向かって高速で送信するようになっている。ＵＷＢ方式としては、伝送速度が１００メガビット／秒、通信距離が最大で１０メートル程度のものが存在している。
【００１３】
また、端末装置２ａ、２ｂ……２ｎには、画像データのアクセス、ビデオカメラ遠隔操作用のデータを送出するための第２の送信部１０が設けられている。１１はそのアンテナである。一方アクセスポイント４には、第２の送信部１０から送信されたデータをアンテナ１２を介して受信する第２の受信部１３が設けられ、この第２の受信部１３はインターフエース５に接続されている。これら第２の送信部１０、アンテナ１１、アンテナ１２、第２の受信部１３はデータ伝送路の第２の送受信手段を形成し、前述したアクセス、制御用等のデータのように比較的小容量のものを端末装置２ａ、２ｂ……２ｎ側からワークステーション１方向の上流に向かって中低速度で伝送するようになっている。この第２の送受信手段には、中低速のデータ通信に適した無線ＬＡＮ用のＩＥＥＥ８０２．１１ａ／ｂや近距離無線用のＢｌｕｅｔｏｏｔｈが適用されている。このＢｌｕｅｔｏｏｔｈによる通信方式にあっては、伝送速度が１メガビット／秒以下であり、通信距離が１０〜１００メートル程度のものである。
【００１４】
第１の受信部９の出力側には、メディア・アクセス・コントローラ１４が接続されている。メディア・アクセス・コントローラ１４の出力側には、インターフエース１５を介してバス１６が接続されている。バス１６には、ＣＰＵ、復調回路、各種メモリ、キーボード、ディスプレイ等（図示せず）が接続されている。また、第２の送信部１０の入力側には、メディア・アクセス・コントローラ１４を介してインターフエース１５が接続され、アクセス、制御用等のデータが送信第２の部１０に供給されるようになっている。
【００１５】
このような構成によるデータ伝送システムの動作について説明する。まず、ユーザは、例えば端末装置２ａにおいて所望の画像を得て表示するためのアクセスデータを送出する。このアクセスデータは小容量であるのでインターフエース１５、メディア・アクセス・コントローラ１４を介して第２の送信部１０に供給される。第２の送信部１０からはアクセスデータがアクセスポイント４へと下流に向かって送信され、アクセスポイント４の第２の受信部６で受信され、インターフエース５、ＬＡＮ３を介してワークステーション１へと伝送される。そして、ワークステーション１において所望の画像データがアクセスされる。
【００１６】
アクセスされた画像データはバス３、インターフエース５を介して自動的に第１の送信部６へと伝送される。第１の送信部６からは端末装置２ａへと下流に向かって送信され、第１の受信部９で受信される。受信された画像データは、メディア・アクセス・コントローラ１４、インターフエース１５を介してバス１６へと伝送され、復調されてディスプレイ上に表示される。この表示は第１の送信部６、第１の受信部９で形成される第１の送受信手段が大容量で高速のＵＷＢを用いたデータ伝送路であるので、動画の画像データをリアルタイムに伝送して高画質で表示される。
【００１７】
また、ユーザは、例えば端末装置２ａにおいてディスプレイ上で画像をモニターしながらワークステーション１のビデオカメラを遠隔操作して所望の画像を得る場合は、その制御データを送出する。この制御データは小容量であるので自動的にインターフエース１５、メディア・アクセス・コントローラ１４を介して第２の送信部１０に供給される。第２の送信部１０からは制御データがアクセスポイント４へと下流に向かって送信され、アクセスポイント４の第２の受信部６で受信され、インターフエース５、ＬＡＮ３を介してワークステーション１へと伝送される。そして、ワークステーション１においてビデオカメラが遠隔操作され所望の画像が撮影される。
【００１８】
遠隔操作で撮影された画像データはバス３、インターフエース５を介して第１の送信部６へと伝送される。第１の送信部６からは端末装置２ａへと下流に向かって送信され、第１の受信部９で受信される。受信された画像データは、メディア・アクセス・コントローラ１４、インターフエース１５を介してバス１６へと伝送され、復調されてディスプレイ上に表示される。この表示は第１の送信部６、第１の受信部９で形成される第１の送受信手段が大容量で高速のＵＷＢを用いたデータ伝送路であるので、動画の画像データをリアルタイムに伝送して表示する。
【００１９】
この一連の動作は、他の端末装置２ｂ……２ｎでも同一の構成であるので同様になされる。
【００２０】
このような本発明の実施の形態の一例のよれば、動画のような画像データを高速で伝送できるＵＷＢを下流側に向けての伝送路に適用し、小容量のアクセス、制御用等のデータを伝送する上流側に向けての伝送路には小容量の中低速の中帯域デジタル信号の形式を用いるので、端末装置２ａ、２ｂ……２ｎ側で動画を任意にアクセスし制御してリアルタイムに高画質の表示ができる。併せて、その１つの伝送路を下流と上流とでデータの特質に合わせて最適なものを用いるので、過剰品質にならずコスト的に有利となる。そして、ＬＡＮ３に多数の端末装置２ａ、２ｂ……２ｎを接続することにより、多くのユーザが高画質の画像データを任意にリアルタイムで表示することができる。
【００２１】
尚、本発明は、上記の実施の形態の一例では、第１の送受信手段にＵＷＢの無線通信方式を用いたが、第２の送受信手段のＢｌｕｅｔｏｏｔｈ方式と比べて１０メートル程度の短距離通信である。従って、距離が離れてしまう場合には、高速性は犠牲になるが第１の送受信手段をＢｌｕｅｔｏｏｔｈ方式で代用することが考えられる。その例として、図１において鎖線で表示するように、アクセスポイント４にＢｌｕｔｏｏｔｈ方式を適用した第３の送信部１７を設け、端末装置２ａ、２ｂ……２ｎに同じくＢｌｕｅｔｏｏｔｈ方式を適用した第３の受信部１８を設け、夫々にアンテナ１９、２０を接続する。そして、ワークステーション１からの画像データはインターフエース５を介して第３の送信部１７に供給し、第３の送信部１７からは端末装置２ａへと下流に向かって送信され、第３の受信部１８で受信されるように構成する。受信された画像データは、メディア・アクセス・コントローラ１４、インターフエース１５を介してバス１６へと伝送され、復調されてディスプレイ上に表示されるようになる。
【００２２】
尚又、本発明は、上記実施の形態の一例では、ワークステーション１と端末装置２ａ、２ｂ……２ｎ間でのデータ伝送に適用したが、多量のビデオ信号、オーディオ信号を記憶したサーバと各家庭とを光ファイバーでもって接続し、家庭に設けた光ファイバーの端末とホーム用各種ビデオ、オーディオ装置との間に、第１の送受信手段と第２の送受信手段とを適用して随時、ビデオ信号、オーディオ信号を高速でダウンロードして再生するためのデータ伝送システムを構成できる。更に、家庭用のサーバから多量のビデオ信号、オーディオ信号を携帯用プレーヤに高速でダウンロードし屋外に持ち出して使用する等各種の形態をとることができる。
【００２３】
尚更に、本発明は、実施の形態の一例では、第１の送受信手段にＵＷＢ形式のものを用いたが、これに限定されず同等の他の無線方式を用いてもよい。また、第２の送受信手段にＢｌｕｅｔｏｏｔｈ方式を用いたが、これも限定されることなく同等の他の無線方式を用いてもよい。
【００２４】
【発明の効果】
以上説明した通り、本発明の請求項１によれば、大容量の情報を受信する上流に向けては超広帯域デジタル信号の送受信装置で伝送し、小容量の中低速度で情報の処理を行う下流側に向けては中帯域デシタル信号の送受信装置で伝送するので、情報データを目的通りに低コストで伝送できるデータ伝送システムを提供できる。
【００２５】
また、本発明の請求項２によれば、大容量の情報を受信する上流に向けては大容量で高速な第１の送受信手段で伝送し、小容量の中低速度で情報の処理を行う下流側に向けては小容量で中低速の第２の送受信手段で伝送するので、情報データを目的通りに低コストで伝送できるデータ伝送システムを提供できる。
【図面の簡単な説明】
【図１】本発明の実施の形態の一例におけるデータ伝送システムを示すブロック図である。
【符号の説明】
１          ワークステ−ション
２ａ、２ｂ……２ｎ端末装置
３          ＬＡＮ
４          アクセスポイント
５、１５    インターフエース
６          第１の送信部
９          第１の受信部
１０          第２の送信部
１３          第２の受信部
１４          メディア・アクセス・コントローラ
１６          バス
【図１】
2004274601.tif 000003